【手続補正書】
【提出日】平成19年12月26日(2007.12.26)
【手続補正１】
【補正対象書類名】特許請求の範囲
【補正対象項目名】請求項１
【補正方法】変更
【補正の内容】
【請求項１】
光学系により形成された被写体像を電荷に変換するための複数の画素を有する撮像素子と、
上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、
当該撮像装置の手ぶれ量を検出する手ぶれ検出センサと、
上記撮像素子の露光時間を設定する露光時間設定部と、
上記露光時間設定部で設定された露光時間に基づいて上記撮像素子の露光制御を行うとともに、上記露光時間設定部で設定された露光時間と、上記手ぶれ検出センサで検出された手ぶれ量と、上記光学系の焦点距離とに基づいて上記撮像素子の露光中の手ぶれ量が所定量よりも大きいか否かを判定し、この判定の結果、上記撮像素子の露光中の手ぶれ量が所定量よりも大きい場合には上記画素読み出し回路を上記第２の読み出しモードで動作させ、上記判定の結果、上記撮像素子の露光中の手ぶれ量が所定量よりも大きくない場合には上記画素読み出し回路を上記第１の読み出しモードで動作させるように制御するコントローラと、
を具備することを特徴とする撮像装置。
【手続補正２】
【補正対象書類名】特許請求の範囲
【補正対象項目名】請求項４
【補正方法】変更
【補正の内容】
【請求項４】
光学系により形成された被写体像を電荷に変換するための複数の画素を有する撮像素子と、
上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、
上記画素読み出し回路で読み出された電荷から画像データを得るための画像処理回路と、
上記画像処理回路で得られた画像データより画像のぶれ量を検出する画像ぶれ検出回路と、
上記撮像素子の露光時間を設定する露光時間設定部と、
上記露光時間設定部で設定された露光時間に基づいて上記撮像素子の露光制御を行うとともに、上記露光時間設定部で設定された露光時間と、上記画像ぶれ検出回路で検出された画像のぶれ量と、上記光学系の焦点距離とに基づいて上記撮像素子の露光中の画像のぶれ量が所定量よりも大きいか否かを判定し、この判定の結果、上記撮像素子の露光中における画像のぶれ量が所定量よりも大きい場合には上記画素読み出し回路を上記第２の読み出しモードで動作させ、上記判定の結果、上記撮像素子の露光中における画像のぶれ量が所定量よりも大きくない場合には上記画素読み出し回路を上記第１の読み出しモードで動作させるように制御するコントローラと、
を具備することを特徴とする撮像装置。
【手続補正３】
【補正対象書類名】特許請求の範囲
【補正対象項目名】請求項７
【補正方法】変更
【補正の内容】
【請求項７】
光学系により形成された被写体像を電荷に変換するための複数の画素を有する撮像素子と、
上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、
被写体の動きにより生じる被写体ぶれ量を検出する被写体ぶれ検出部と、
上記撮像素子の露光時間を設定する露光時間設定部と、
上記露光時間設定部で設定された露光時間に基づいて上記撮像素子の露光制御を行うとともに、上記露光時間設定部で設定された露光時間と、上記被写体ぶれ検出部で検出された被写体ぶれ量と、上記光学系の焦点距離とに基づいて上記撮像素子の露光中における被写体ぶれ量が所定量よりも大きいか否かを判定し、この判定の結果、上記撮像素子の露光中における被写体ぶれ量が所定量よりも大きい場合には上記画素読み出し回路を上記第２の読み出しモードで動作させ、上記判定の結果、上記撮像素子の露光中における被写体ぶれ量が所定量よりも大きくない場合には上記画素読み出し回路を上記第１の読み出しモードで動作させるように制御するコントローラと、
を具備することを特徴とする撮像装置。
【手続補正４】
【補正対象書類名】特許請求の範囲
【補正対象項目名】請求項９
【補正方法】変更
【補正の内容】
【請求項９】
光学系により形成された被写体像を電荷に変換するための複数の画素を有する撮像素子と、
上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、
撮影条件に応じて、上記画素読み出し回路を上記第１の読み出しモードで動作させるか上記第２の読み出しモードで動作させるかを切り換える自動切り換え方式の制御を行うコントローラと、
を具備することを特徴とする撮像装置。
【手続補正５】
【補正対象書類名】特許請求の範囲
【補正対象項目名】請求項１４
【補正方法】変更
【補正の内容】
【請求項１４】
光学系により形成された被写体像を電荷に変換するための複数の画素を有する撮像素子と、
上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、
上記画素読み出し回路で読み出された電荷から画像データを得るための画像処理回路と、
上記画素読み出し回路の上記第１の読み出しモードと上記第２の読み出しモードの何れか一方を、撮影条件による自動設定又は手動選択部材による手動設定により選択する選択部と、
上記選択部により選択された読み出しモードの情報を上記画像処理回路によって得られた画像データとともに記録媒体に記録する記録回路と、
を具備することを特徴とする撮像装置。
【手続補正６】
【補正対象書類名】特許請求の範囲
【補正対象項目名】請求項１８
【補正方法】変更
【補正の内容】
【請求項１８】
光学系により形成された被写体像を電荷に変換するための複数の画素を有する撮像素子と、
上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、
複数の撮影モードの中から１つの撮影モードを選択するための撮影モード選択部と、
被写体輝度を検出するための被写体輝度検出部と、
上記被写体輝度検出部で検出された被写体輝度と上記光学系の焦点距離とに基づいて上記撮像素子の露光時間を決定して上記撮像素子の露光制御を行うとともに、上記撮影モード選択部で選択された撮影モードに応じて、上記第１の読み出しモードと上記第２の読み出しモードの自動切り換えを行う自動切り換え方式の制御と、上記画素読み出し回路を上記第１の読み出しモードに固定して動作させる非加算読み出し固定方式の制御と、上記画素読み出し回路を上記第２の読み出しモードに固定して動作させる加算読み出し固定方式の制御の何れかの制御を実行するコントローラと、
を具備することを特徴とする撮像装置。
【手続補正７】
【補正対象書類名】特許請求の範囲
【補正対象項目名】請求項１９
【補正方法】変更
【補正の内容】
【請求項１９】
光学系により形成された被写体像を電荷に変換するための複数の画素を有する撮像素子と、
上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、
複数の撮影モードの中から１つの撮影モードを選択するための撮影モード選択部と、
上記第１の読み出しモードと上記第２の読み出しモードの何れかを選択するための読み出しモード選択部と、
上記撮像素子の露光時間を決定して上記撮像素子の露光制御を行うとともに、上記撮影モード選択部で選択された撮影モードに応じて、上記読み出しモード選択部による選択を許可する、又は上記読み出しモード選択部による選択を禁止して上記第１の読み出しモードと上記第２の読み出しモードの何れかに設定するような制御を行うコントローラと、
を具備することを特徴とする撮像装置。
【手続補正８】
【補正対象書類名】特許請求の範囲
【補正対象項目名】請求項２０
【補正方法】変更
【補正の内容】
【請求項２０】
光学系により形成された被写体像を電荷に変換するための複数の画素を有する撮像素子と、
上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、
被写体輝度を検出するための被写体輝度検出部と、
上記被写体輝度検出部で検出された被写体輝度と上記光学系の焦点距離とに基づいて上記撮像素子の露光時間を決定して上記撮像素子の露光制御を行うとともに、上記露光時間と上記光学系の焦点距離とに基づいて上記撮像素子の露光中の手ぶれ量が所定量よりも大きいか否かを判定し、この判定の結果、上記撮像素子の露光中における手ぶれ量が所定量よりも大きい場合には上記画素読み出し回路を上記第２の読み出しモードで動作させ、上記判定の結果、上記撮像素子の露光中における手ぶれ量が所定量よりも大きくない場合には上記画素読み出し回路を上記第１の読み出しモードで動作させるように制御するコントローラとを具備し、
上記コントローラは、上記画素読み出し回路の読み出しモードを上記第２の読み出しモードから上記第１の読み出しモードに切り換える場合に、被写体輝度に対してヒステリシスを持たせるように切り換えることを特徴とする撮像装置。
【手続補正９】
【補正対象書類名】明細書
【補正対象項目名】０００６
【補正方法】変更
【補正の内容】
【０００６】
上記の目的を達成するために、本発明の第１の態様の撮像装置は、光学系により形成された被写体像を電荷に変換するための複数の画素を有する撮像素子と、上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、当該撮像装置の手ぶれ量を検出する手ぶれ検出センサと、上記撮像素子の露光時間を設定する露光時間設定部と、上記露光時間設定部で設定された露光時間に基づいて上記撮像素子の露光制御を行うとともに、上記露光時間設定部で設定された露光時間と、上記手ぶれ検出センサで検出された手ぶれ量と、上記光学系の焦点距離とに基づいて上記撮像素子の露光中の手ぶれ量が所定量よりも大きいか否かを判定し、この判定の結果、上記撮像素子の露光中の手ぶれ量が所定量よりも大きい場合には上記画素読み出し回路を上記第２の読み出しモードで動作させ、上記判定の結果、上記撮像素子の露光中の手ぶれ量が所定量よりも大きくない場合には上記画素読み出し回路を上記第１の読み出しモードで動作させるように制御するコントローラとを具備することを特徴とする。
【手続補正１０】
【補正対象書類名】明細書
【補正対象項目名】０００８
【補正方法】変更
【補正の内容】
【０００８】
また、上記の目的を達成するために、本発明の第２の態様の撮像装置は、光学系により形成された被写体像を電荷に変換するための複数の画素を有する撮像素子と、上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、上記画素読み出し回路で読み出された電荷から画像データを得るための画像処理回路と、上記画像処理回路で得られた画像データより画像のぶれ量を検出する画像ぶれ検出回路と、上記撮像素子の露光時間を設定する露光時間設定部と、上記露光時間設定部で設定された露光時間に基づいて上記撮像素子の露光制御を行うとともに、上記露光時間設定部で設定された露光時間と、上記画像ぶれ検出回路で検出された画像のぶれ量と、上記光学系の焦点距離とに基づいて上記撮像素子の露光中の画像のぶれ量が所定量よりも大きいか否かを判定し、この判定の結果、上記撮像素子の露光中における画像のぶれ量が所定量よりも大きい場合には上記画素読み出し回路を上記第２の読み出しモードで動作させ、上記判定の結果、上記撮像素子の露光中における画像のぶれ量が所定量よりも大きくない場合には上記画素読み出し回路を上記第１の読み出しモードで動作させるように制御するコントローラとを具備することを特徴とする。
【手続補正１１】
【補正対象書類名】明細書
【補正対象項目名】００１０
【補正方法】変更
【補正の内容】
【００１０】
また、上記の目的を達成するために、本発明の第３の態様の撮像装置は、光学系により形成された被写体像を電荷に変換するための複数の画素を有する撮像素子と、上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、被写体の動きにより生じる被写体ぶれ量を検出する被写体ぶれ検出部と、上記撮像素子の露光時間を設定する露光時間設定部と、上記露光時間設定部で設定された露光時間に基づいて上記撮像素子の露光制御を行うとともに、上記露光時間設定部で設定された露光時間と、上記被写体ぶれ検出部で検出された被写体ぶれ量と、上記光学系の焦点距離とに基づいて上記撮像素子の露光中における被写体ぶれ量が所定量よりも大きいか否かを判定し、この判定の結果、上記撮像素子の露光中における被写体ぶれ量が所定量よりも大きい場合には上記画素読み出し回路を上記第２の読み出しモードで動作させ、上記判定の結果、上記撮像素子の露光中における被写体ぶれ量が所定量よりも大きくない場合には上記画素読み出し回路を上記第１の読み出しモードで動作させるように制御するコントローラとを具備することを特徴とする。
【手続補正１２】
【補正対象書類名】明細書
【補正対象項目名】００１２
【補正方法】変更
【補正の内容】
【００１２】
また、上記の目的を達成するために、本発明の第４の態様の撮像装置は、光学系により形成された被写体像を電荷に変換するための複数の画素を有する撮像素子と、上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、撮影条件に応じて、上記画素読み出し回路を上記第１の読み出しモードで動作させるか上記第２の読み出しモードで動作させるかを切り換える自動切り換え方式の制御を行うコントローラとを具備することを特徴とする。
【手続補正１３】
【補正対象書類名】明細書
【補正対象項目名】００１４
【補正方法】変更
【補正の内容】
【００１４】
また、上記の目的を達成するために、本発明の第５の態様の撮像装置は、光学系により形成された被写体像を電荷に変換するための複数の画素を有する撮像素子と、上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、上記画素読み出し回路で読み出された電荷から画像データを得るための画像処理回路と、上記画素読み出し回路の上記第１の読み出しモードと上記第２の読み出しモードの何れか一方を、撮影条件による自動設定又は手動選択部材による手動設定により選択する選択部と、上記選択部により選択された読み出しモードの情報を上記画像処理回路によって得られた画像データとともに記録媒体に記録する記録回路とを具備する。
【手続補正１４】
【補正対象書類名】明細書
【補正対象項目名】００１８
【補正方法】変更
【補正の内容】
【００１８】
また、上記の目的を達成するために、本発明の第７の態様の撮像装置は、光学系により形成された被写体像を電荷に変換するための複数の画素を有する撮像素子と、上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、複数の撮影モードの中から１つの撮影モードを選択するための撮影モード選択部と、被写体輝度を検出するための被写体輝度検出部と、上記被写体輝度検出部で検出された被写体輝度と上記光学系の焦点距離とに基づいて上記撮像素子の露光時間を決定して上記撮像素子の露光制御を行うとともに、上記撮影モード選択部で選択された撮影モードに応じて、上記第１の読み出しモードと上記第２の読み出しモードの自動切り換えを行う自動切り換え方式の制御と、上記画素読み出し回路を上記第１の読み出しモードに固定して動作させる非加算読み出し固定方式の制御と、上記画素読み出し回路を上記第２の読み出しモードに固定して動作させる加算読み出し固定方式の制御の何れかの制御を実行するコントローラとを具備することを特徴とする。
【手続補正１５】
【補正対象書類名】明細書
【補正対象項目名】００２０
【補正方法】変更
【補正の内容】
【００２０】
また、上記の目的を達成するために、本発明の第８の態様の撮像装置は、光学系により形成された被写体像を電荷に変換するための複数の画素を有する撮像素子と、上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、複数の撮影モードの中から１つの撮影モードを選択するための撮影モード選択部と、上記第１の読み出しモードと上記第２の読み出しモードの何れかを選択するための読み出しモード選択部と、上記撮像素子の露光時間を決定して上記撮像素子の露光制御を行うとともに、上記撮影モード選択部で選択された撮影モードに応じて、上記読み出しモード選択部による選択を許可する、又は上記読み出しモード選択部による選択を禁止して上記第１の読み出しモードと上記第２の読み出しモードの何れかに設定するような制御を行うコントローラとを具備することを特徴とする。
【手続補正１６】
【補正対象書類名】明細書
【補正対象項目名】００２２
【補正方法】変更
【補正の内容】
【００２２】
また、上記の目的を達成するために、本発明の第９の態様の撮像装置は、光学系により形成された被写体像を電荷に変換するための複数の画素を有する撮像素子と、上記撮像素子のそれぞれの画素から得られた電荷を画素毎に読み出す第１の読み出しモードと上記撮像素子のそれぞれの画素から得られた電荷を所定画素数毎に加算してから読み出す第２の読み出しモードとの何れかの読み出しモードで動作する画素読み出し回路と、被写体輝度を検出するための被写体輝度検出部と、上記被写体輝度検出部で検出された被写体輝度と上記光学系の焦点距離とに基づいて上記撮像素子の露光時間を決定して上記撮像素子の露光制御を行うとともに、上記露光時間と上記光学系の焦点距離とに基づいて上記撮像素子の露光中の手ぶれ量が所定量よりも大きいか否かを判定し、この判定の結果、上記撮像素子の露光中における手ぶれ量が所定量よりも大きい場合には上記画素読み出し回路を上記第２の読み出しモードで動作させ、上記判定の結果、上記撮像素子の露光中における手ぶれ量が所定量よりも大きくない場合には上記画素読み出し回路を上記第１の読み出しモードで動作させるように制御するコントローラとを具備し、上記コントローラは、上記画素読み出し回路の読み出しモードを上記第２の読み出しモードから上記第１の読み出しモードに切り換える場合に、被写体輝度に対してヒステリシスを持たせるように切り換えることを特徴とする。